(57)【要約】【課題】  筐体に設けられた段部が把手部とオゾン脱臭部から吹出口に到る送風路の一部とを兼ねるようにした空気調和機を提供する。【解決手段】  吸込口と吹出口２とを備えた筐体５内に送風ファン３と、オゾン脱臭部４からなる送風方向変更ユニットとを設け、同送風方向変更ユニットの側方の前記筐体５に、送風路６の壁面の一部と把手部７とを兼ねる段部が形成されてな構成にした。これにより、送風性能を向上させるとともに、使い勝手のよい把手構造を備えた空気調和機を提供できる。【選択図】  図５
2007097849.tif 000002
【特許請求の範囲】
【請求項１】
吸込口と吹出口とを備えた筐体内に送風ファンと送風方向変更ユニットとを設け、同送風方向変更ユニットの側方の前記筐体に、送風路の壁面の一部と把手部とを兼ねる段部が形成されてなることを特徴とする空気調和機。
【請求項２】
前記送風方向変更ユニットが前記送風ファンの下流に設けられたオゾン脱臭部であることを特徴とする請求項１に記載の空気調和機。
【請求項３】
前記把手部が前記筐体の両側部に形成されてなることを特徴とする請求項１に記載の空気調和機。
【発明の詳細な説明】
【技術分野】
【０００１】
本発明は、脱臭器や空気清浄機を含む空気調和機に係わり、より詳細には、筐体に設けられた段部が把手部とオゾン脱臭部から吹出口に到る送風路の一部とを兼ねるようにした構造に関する。
【背景技術】
【０００２】
脱臭器や空気清浄機を含む従来の空気調和機には、吹出口と把手（取っ手）とを兼用する構造によって、コンパクトな枠体形状でも持ち運びをしやすくした空気調和機の吹出構造として、枠体内に空気流路を配置し、空気流路の端には空気吸込口と空気吹出口とを設け、空気吸込口から空気吹出口に到る空気流路に送風機を設け、空気流路の出口となる空気吹出口は枠体内部で上方に向かって開口し、空気吹出口よりも上方の枠体の前面上部に開口部を設け、枠体内の空気吹出口と開口部とを空気誘導部で連通する。空気吹出口から上方に向かう空気流は空気誘導部によって開口部に向けられ、開口部から枠体の前方に向かって吹き出すことができる。また、吹出ガードを空気吹出口に配置することで空気誘導部が枠体の前面に開口するので、空気調和機の移動時には開口部から手を挿入して把手（取っ手）として使用できるようにしてなるものがあった（例えば、特許文献１参照。）。
【０００３】
しかしながら、上記構成でなる空気調和機は、空気流路にオゾン脱臭部を設けた構成にはなっておらず、したがって、同オゾン脱臭部を設けた場合において、同オゾン脱臭部から前記空気吹出口に到る送風性能を向上させるようにした構成については開示されていなかった。
【０００４】
【特許文献１】特開２００３ー２２２３５３号公報
【発明の開示】
【発明が解決しようとする課題】
【０００５】
そこで、本発明は上述した課題を解決するためになされたものであって、その目的は、筐体に設けられた段部が把手部とオゾン脱臭部から吹出口に到る送風路の一部とを兼ねるようにした空気調和機を提供することにある。
【課題を解決するための手段】
【０００６】
上述した目的を達成するため、本発明は以下に示す特徴を備えている。
吸込口と吹出口とを備えた筐体内に送風ファンと送風方向変更ユニットとを設け、同送風方向変更ユニットの側方の前記筐体に、送風路の壁面の一部と把手部とを兼ねる段部が形成されてなることを特徴としている。
【０００７】
また、前記送風方向変更ユニットが前記送風ファンの下流に設けられたオゾン脱臭部であることを特徴としている。
【０００８】
更に、前記把手部が前記筐体の両側部に形成されてなることを特徴としている。
【発明の効果】
【０００９】
本発明によれば、筐体に設けられた段部が把手部とオゾン脱臭部から吹出口に到る送風路の一部とを兼ねるようにしたことにより、送風性能を向上させるとともに、使い勝手のよい把手構造を備えた空気調和機を提供できる。
【発明を実施するための最良の形態】
【００１０】
次に、本発明の実施形態について図面を参照しながら説明する。
図１は本発明による空気調和機の外観斜視図であり、図２は本発明による空気調和機の正面図であり、図３は本発明による空気調和機の側面図であり、図４は図２に示すＡ−Ａ断面図であり、図５は図３に示すＢ−Ｂ断面図であり、図６は図２に示すＣ−Ｃ断面図であり、図７は本発明による空気調和機の要部斜視図である。
【００１１】
本発明による空気調和機は、図に示すように、吸込口１と吹出口２とを結ぶ筐体５内の空気通路に、前記吸込口１から吸い込まれた空気中の臭い成分を吸着し脱臭する吸着脱臭部９と、送風ファン３と、オゾン脱臭部４とが設けられ、前記筐体５には持ち運び用に用いられる段部からなる把手部７が形成されている。
【００１２】
前記吸着脱臭部９は、図４に示すように、集塵フィルタ10と、加熱ヒータ12を備えた触媒フィルタ11と、活性炭フィルタ13とで構成され、前記吸込口１から吸い込まれた空気中の臭い成分を効果的に吸着して脱臭できるようになっている。
【００１３】
前記送風ファン３は、前記吸込口１から吸い込んだ被空気調和室内からの空気を前記吸着脱臭部９に流通させたのち、前記オゾン脱臭部４を経て前記吹出口２に向けて送出させるとともに、同吹出口２に回動可能に設けられた風向板2aにより風向を調節して被空気調和室内に吹き出すようになっており、同送風ファン３から前記オゾン脱臭部４に到る風路を構成するファンケーシング3a内に収容されている。
【００１４】
前記オゾン脱臭部４は、図７に示すように、フィン4eを備えた流入部4cと三側面に形成した流出部4dとを有するケース4a内に脱臭用の紫外線ランプ4bを備えるとともに、同紫外線ランプ4bに対向するように設置され、前記流入部4cから流入した空気を撹拌して前記紫外線ランプ4bの照射により生じたオゾンと混合させるとともに、前記ケース4aの三側面に形成した前記流出部4dに導くためのガイド部材4fを備えた構成になっている。
【００１５】
前記ケース4aの外周底部と前記筐体５の壁面との間は、図６に示すようにシール部材８が介装されることによって該箇所の機密性が保たれており、これによって、前記流出部4dから流出した空気が下方に漏れることなく、前記吹出口２に向けて効率よく送出されるようになっている。
【００１６】
前記紫外線ランプ4bは、前記ケース4a内下位部の前記流入部4cの近傍に設けられ、前記流出部4dは前記ケース4aの三側面の上位部に設けられている。
【００１７】
これにより、前記ファンケーシング3a内を流通して前記流入部4cから前記ケース4a内に流入した空気は、前記ガイド部材4fにより前記流出部4dに向け折曲して導かれながら、前記紫外線ランプ4bの照射により更に脱臭されたのち、前記流出部4dから前記吹出口２に到る送風路６に送出されることになる。
【実施例１】
【００１８】
ここで、前記送風路６と、同送風路６の一部を構成するように前記筐体５に形成された段部からなる前記把手部７とについて、実施例１として示す図１乃至図６に基づいて夫々の構成を詳細に説明する。
【００１９】
前記送風路６は、図４乃至図６で示すように、前記オゾン脱臭部４の流出部4dと、前記筐体５の壁面との間に形成されて、同流出部4dから前記吹出口２に到る吹出空気の流路として構成されている。
【００２０】
前記把手部７は、前記オゾン脱臭部４のケース4a両側の下位部に対向する位置であって前記流出部4dの下方に形成された構成になっており、これによって、前記オゾン脱臭部４のケース4a両側の下位部と、前記筐体５の壁面との間に前記把手部７を形成できるようになり、該箇所をデッドスペースにすることなく有効活用できるようになるとともに、前記把手部７の上部が前記送風路６の一部を兼ねることができるようになって送風性が良好になる。
【００２１】
また、前記把手部７は、図６に示すように前記筐体５の両側部に形成されることによって、同筐体５の両側部から正確に両手指を掛けることができて、より安全に持ち運びができるようになる。
【００２２】
その際、前記筐体５の両側部の把手部７は、同両把手部７に夫々対応する前記送風路６の一部を兼ねることができて、より良好な送風性を得ることができる構成になる。
【図面の簡単な説明】
【００２３】
【図１】本発明による空気調和機の外観斜視図である。
【図２】本発明による空気調和機の正面図である。
【図３】本発明による空気調和機の側面図である。
【図４】図２に示すＡ−Ａ断面図である。
【図５】図３に示すＢ−Ｂ断面図である。
【図６】図２に示すＣ−Ｃ断面図である。
【図７】本発明による空気調和機の要部斜視図である。
【符号の説明】
【００２４】
１  吸込口
２  吹出口
2a  風向板
３  送風ファン
3a  ファンケーシング
４  オゾン脱臭部
4a  ケース
4b  紫外線ランプ
4c  流入部
4d  流出部
4e  フィン
4f  ガイド部材
５  筐体
６  送風路
７  把手部
８  シール部材
９  吸着脱臭部
10  集塵フィルタ
11  触媒フィルタ
12  加熱ヒータ
13  活性炭フィルタ
【図１】
2007097849.tif 000003
【図２】
2007097849.tif 000004
【図３】
2007097849.tif 000005
【図４】
2007097849.tif 000006
【図５】
2007097849.tif 000007
【図６】
2007097849.tif 000008
【図７】
2007097849.tif 000009